(57)【要約】【課題】本発明は、ユーザのプライバシーを侵害することなく、また大規模なコンピュータ資源も必要とすることなく、ユーザの趣向に合った広告を配信することを課題とする。【解決手段】ユーザの情報端末２は広告配信サーバ１から広告の概要を示す広告概要情報を取得し、過去に取得したコンテンツ情報を分析したコンテンツ分析情報と広告概要情報とを照合し、コンテンツ分析情報のキーワードと広告概要情報のキーワードとが一致する場合に、当該広告に対応する広告実体情報を広告配信サーバ１から取得して表示する。【選択図】図２
2007241921.tif 000002
【特許請求の範囲】
【請求項１】
広告配信サーバと複数のユーザの情報端末とがインターネット上において通信可能な状態のネットワークに構成され、広告配信サーバから各情報端末に対してネットワークを介して広告が配信される広告配信システムであって、
前記広告配信サーバは、
広告の概要を示し、かつ広告のキーワードを含む広告概要情報をネットワークを介して各情報端末に送信するとともに、前記情報端末から要求の合った広告の実体を示す広告実体情報をネットワークを介して当該情報端末に送信する広告送信手段を備え、
前記情報端末は、
インターネット上に存在するコンテンツ情報を取得するコンテンツ情報取得手段と、
該コンテンツ情報取得手段により取得したコンテンツ情報の一部又は全部を保存するコンテンツ情報保存手段と、
該コンテンツ情報保存手段に保存したコンテンツ情報からキーワードを分析するコンテンツ情報分析手段と、
該コンテンツ情報分析手段により分析したキーワードを含むコンテンツ分析情報を保存するコンテンツ分析情報保存手段と、
前記広告概要情報を前記広告配信サーバからネットワークを介して取得する広告概要情報取得手段と、
該広告概要情報取得手段により取得した広告概要情報を保存する広告概要情報保存手段と、
前記コンテンツ分析情報保存手段に保存したコンテンツ分析情報と前記広告概要情報保存手段により保存した広告概要情報とを照合し、コンテンツ分析情報のキーワードと広告概要情報のキーワードが一致する場合に当該広告概要情報を選択する広告選択手段と、
該広告選択手段により選択した広告概要情報に対応する広告実体情報を前記広告配信サーバに要求し、当該広告実体情報を前記広告配信サーバからネットワークを介して取得する広告実体情報取得手段と、
該広告実体情報取得手段により取得した広告実体情報を保存する広告実体情報保存手段と、
該広告実体情報保存手段に保存した広告実体情報を所定形式でディスプレイ等に表示させる広告表示制御手段とを備えることを特徴とする広告配信システム。
【請求項２】
前記情報端末の広告概要情報取得手段は、取得した広告概要情報を所定の配信サーバの秘密鍵に対応する公開鍵により復号化するものとなされている請求項１に記載の広告配信システム。
【請求項３】
前記広告配信サーバは、情報端末に対して送信した広告実体情報を記録するものとなされている請求項１または請求項２のいずれかに記載の広告配信システム。
【請求項４】
広告配信サーバと複数のユーザの情報端末とがインターネット上において通信可能な状態のネットワークに構成され、広告配信サーバから各情報端末に対してネットワークを介して広告が配信される広告配信システムに用いられる情報端末であって、
インターネット上に存在するコンテンツ情報を取得するコンテンツ情報取得手段と、
該コンテンツ情報取得手段により取得したコンテンツ情報の一部又は全部を保存するコンテンツ情報保存手段と、
該コンテンツ情報保存手段に保存したコンテンツ情報からキーワードを分析するコンテンツ情報分析手段と、
該コンテンツ情報分析手段により分析したキーワードを含むコンテンツ分析情報を保存するコンテンツ分析情報保存手段と、
前記広告概要情報を前記広告配信サーバからネットワークを介して取得する広告概要情報取得手段と、
該広告概要情報取得手段により取得した広告概要情報を保存する広告概要情報保存手段と、
前記コンテンツ分析情報保存手段に保存したコンテンツ分析情報と前記広告概要情報保存手段により保存した広告概要情報とを照合し、コンテンツ分析情報のキーワードと広告概要情報のキーワードが一致する場合に当該広告概要情報を選択する広告選択手段と、
該広告選択手段により選択した広告概要情報に対応する広告実体情報を前記広告配信サーバに要求し、当該広告実体情報を前記広告配信サーバからネットワークを介して取得する広告実体情報取得手段と、
該広告実体情報取得手段により取得した広告実体情報を保存する広告実体情報保存手段と、
該広告実体情報保存手段に保存した広告実体情報を所定形式でディスプレイ等に表示させる広告表示制御手段とを備えることを特徴とする情報端末。
【請求項５】
広告配信サーバと複数のユーザの情報端末とがインターネット上において通信可能な状態のネットワークに構成され、広告配信サーバから各情報端末に対してネットワークを介して広告が配信される広告配信方法であって、
前記広告配信サーバは、
広告の概要を示し、かつ広告のキーワードを含む広告概要情報を広告送信手段により各情報端末にネットワークを介して送信するステップと、
情報端末から要求があった場合に広告の実体を示す広告実体情報を広告送信手段により当該情報端末にネットワークを介して送信するステップとを有し、
前記情報端末は、
インターネット上に存在するコンテンツ情報をコンテンツ情報取得手段により取得するステップと、
該コンテンツ情報取得手段により取得したコンテンツ情報の一部又は全部をコンテンツ情報保存手段に保存するステップと、
該コンテンツ情報保存手段に保存したコンテンツ情報からキーワードをコンテンツ情報分析手段により分析するステップと、
該コンテンツ情報分析手段により分析したキーワードを含むコンテンツ分析情報をコンテンツ分析情報保存手段に保存するステップと、
前記広告概要情報を前記広告配信サーバからネットワークを介して広告概要情報取得手段により取得するステップと、
該広告概要情報取得手段により取得した広告概要情報を広告概要情報保存手段に保存するステップと、
前記コンテンツ分析情報保存手段に保存したコンテンツ分析情報と前記広告概要情報保存手段により保存した広告概要情報とを照合し、コンテンツ分析情報のキーワードと広告概要情報のキーワードが一致する場合に当該広告概要情報を広告選択手段により選択するステップと、
該広告選択手段により選択した広告概要情報に対応する広告実体情報を広告配信サーバに要求し、当該広告実体情報を前記広告配信サーバからインターネットを介して広告実体情報取得手段により取得するステップと、
該広告実体情報取得手段により取得した広告実体情報を広告実体情報保存手段に保存するステップと、
該広告実体情報保存手段に保存した広告実体情報を広告表示制御手段により所定形式でディスプレイ等に表示させるステップとを有することを特徴とする広告配信方法。
【請求項６】
コンピュータを、
インターネット上に存在するコンテンツ情報を取得するコンテンツ情報取得手段、
該コンテンツ情報取得手段により取得したコンテンツ情報の一部又は全部を保存するコンテンツ情報保存手段、
該コンテンツ情報保存手段に保存したコンテンツ情報からキーワードを分析するコンテンツ情報分析手段、
該コンテンツ情報分析手段により分析したキーワードを含むコンテンツ分析情報を保存するコンテンツ分析情報保存手段、
前記広告概要情報を広告配信サーバからネットワークを介して取得する広告概要情報取得手段、
該広告概要情報取得手段により取得した広告概要情報を保存する広告概要情報保存手段、
前記コンテンツ分析情報保存手段に保存したコンテンツ分析情報と前記広告概要情報保存手段により保存した広告概要情報とを照合し、コンテンツ分析情報のキーワードと広告概要情報のキーワードが一致する場合に当該広告概要情報を選択する広告選択手段、
該広告選択手段により選択した広告概要情報に対応する広告実体情報を広告配信サーバに要求し、当該広告実体情報を広告配信サーバからネットワークを介して取得する広告実体情報取得手段、
該広告実体情報取得手段により取得した広告実体情報を保存する広告実体情報保存手段、
該広告実体情報保存手段に保存した広告実体情報を所定形式でディスプレイ等に表示させる広告表示制御手段として機能させることを特徴とするコンピュータプログラム。
【請求項７】
コンピュータを、
インターネット上に存在するコンテンツ情報を取得するコンテンツ情報取得手段、
該コンテンツ情報取得手段により取得したコンテンツ情報の一部又は全部を保存するコンテンツ情報保存手段、
該コンテンツ情報保存手段に保存したコンテンツ情報からキーワードを分析するコンテンツ情報分析手段、
該コンテンツ情報分析手段により分析したキーワードを含むコンテンツ分析情報を保存するコンテンツ分析情報保存手段、
前記広告概要情報を広告配信サーバからネットワークを介して取得する広告概要情報取得手段、
該広告概要情報取得手段により取得した広告概要情報を保存する広告概要情報保存手段、
前記コンテンツ分析情報保存手段に保存したコンテンツ分析情報と前記広告概要情報保存手段により保存した広告概要情報とを照合し、コンテンツ分析情報のキーワードと広告概要情報のキーワードが一致する場合に当該広告概要情報を選択する広告選択手段、
該広告選択手段により選択した広告概要情報に対応する広告実体情報を広告配信サーバに要求し、当該広告実体情報を広告配信サーバからネットワークを介して取得する広告実体情報取得手段、
該広告実体情報取得手段により取得した広告実体情報を保存する広告実体情報保存手段、
該広告実体情報保存手段に保存した広告実体情報を所定形式でディスプレイ等に表示させる広告表示制御手段として機能させることを特徴とするコンピュータプログラムが記録された記録媒体。
【発明の詳細な説明】
【技術分野】
【０００１】
本発明は、広告配信サーバからユーザの情報端末に対して広告を配信する広告配信システムおよび広告配信方法に関する。
【背景技術】
【０００２】
近年、インターネットの広告メディアとしての役割が一般化しており、様々な商品やサービスの広告をインターネットユーザの情報端末に配信することが行われている。
【０００３】
このインターネットを利用した広告配信は、サーバから配信されるコンテンツの中に広告を表示する部分を含めることで実現されており、コンテンツ中に同じ広告を表示し続ける固定方式や、サーバサイドプログラム等を利用することにより広告をランダムに変更して表示するランダム方式のほか、最近ではコンテンツの内容を分析し、コンテンツ中に記載されているキーワードに沿った広告を表示するコンテンツマッチング方式と呼ばれているものも登場している（例えば、特許文献１参照）。
【０００４】
ところが、上述の固定方式による広告配信では、１つのコンテンツに同じ広告を表示し続けるため、大量の広告を配信することには適していなかった。また、ランダム方式による広告配信では、多くの広告の配信を可能にしたが、表示する広告の選択はあくまでも数学的な乱数に基づいて行われるため、コンテンツの内容やユーザの趣向に合致していないことが多かった。さらに、コンテンツマッチング方式による広告配信では、分析の対象となるのは広告と共に配信されるコンテンツのみであり、ユーザの趣向は対象とならないために広告効果が十分ではなかった。
【０００５】
ところで、インターネット上の会員制サービスの中には、会員であるユーザの訪問したコンテンツやそのキーワードをサーバ上に記録してユーザ個人の動向を分析することにより、ユーザの趣向に合った広告を行うことで高い広告効果を図っているものがある（例えば、特許文献２参照）。
【０００６】
【特許文献１】特開２００５−２４２７５３号公報
【特許文献２】特開２００２−１６９８１６号公報
【発明の開示】
【発明が解決しようとする課題】
【０００７】
しかしながら、会員であるユーザの動向をサーバ側で記録するため、ユーザのプライバシーを侵害する恐れがあり、この広告配信を利用するユーザが少なくなるという問題があった。しかも、ユーザの動向を記録して処理するには大きな記憶容量と高い処理能力を持ったコンピュータ資源が必要となり、さらに会員数が増加すればするほど多くのコンピュータ資源を必要となりコストが増大するという問題があった。
【０００８】
本発明は、上述の問題に鑑みてなされたものであって、ユーザのプライバシーを侵害することなく、また大規模なコンピュータ資源も必要とすることなく、ユーザの趣向に合った広告を配信することを課題とする。
【課題を解決するための手段】
【０００９】
本発明は、上記課題を解決するために、広告配信サーバと複数のユーザの情報端末とがインターネット上において通信可能な状態のネットワークに構成され、広告配信サーバから各情報端末に対してネットワークを介して広告が配信される広告配信システムであって、前記広告配信サーバは、広告の概要を示し、かつ広告のキーワードを含む広告概要情報をネットワークを介して各情報端末に送信するとともに、前記情報端末から要求の合った広告の実体を示す広告実体情報をネットワークを介して当該情報端末に送信する広告送信手段を備え、前記情報端末は、インターネット上に存在するコンテンツ情報を取得するコンテンツ情報取得手段と、該コンテンツ情報取得手段により取得したコンテンツ情報の一部又は全部を保存するコンテンツ情報保存手段と、該コンテンツ情報保存手段に保存したコンテンツ情報からキーワードを分析するコンテンツ情報分析手段と、該コンテンツ情報分析手段により分析したキーワードを含むコンテンツ分析情報を保存するコンテンツ分析情報保存手段と、前記広告概要情報を前記広告配信サーバからネットワークを介して取得する広告概要情報取得手段と、該広告概要情報取得手段により取得した広告概要情報を保存する広告概要情報保存手段と、前記コンテンツ分析情報保存手段に保存したコンテンツ分析情報と前記広告概要情報保存手段により保存した広告概要情報とを照合し、コンテンツ分析情報のキーワードと広告概要情報のキーワードが一致する場合に当該広告概要情報を選択する広告選択手段と、該広告選択手段により選択した広告概要情報に対応する広告実体情報を前記広告配信サーバに要求し、当該広告実体情報を前記広告配信サーバからネットワークを介して取得する広告実体情報取得手段と、該広告実体情報取得手段により取得した広告実体情報を保存する広告実体情報保存手段と、該広告実体情報保存手段に保存した広告実体情報を所定形式でディスプレイ等に表示させる広告表示制御手段とを備えることを特徴とする。
【００１０】
これによれば、ユーザの情報端末は広告配信サーバから広告の概要を示す広告概要情報を取得し、過去に取得したコンテンツ情報を分析したコンテンツ分析情報と広告概要情報とを照合し、コンテンツ分析情報のキーワードと広告概要情報のキーワードとが一致する場合に、当該広告に対応する広告実体情報を広告配信サーバから取得して表示する。このため、ユーザのプライバシーを侵害することなく、また大規模なコンピュータ資源も必要とすることなく、ユーザの趣向に合った広告を配信することができる。
【００１１】
また、前記情報端末の広告概要情報取得手段は、取得した広告概要情報を所定の配信サーバの秘密鍵に対応する公開鍵により復号化するものとなされているのが好ましい。これによれば、信頼している広告配信サーバの公開鍵を用いて広告概要情報の電子署名を検証することにより、取得した広告概要情報が信頼している広告配信サーバのものであるとして認証することができる。
【００１２】
また、前記広告配信サーバは、情報端末に対して送信した広告実体情報を記録するものとなされているのが好ましい。これによれば、サーバからユーザの情報端末に配信した広告概要情報のうち、ユーザの趣向に合った広告実体情報が記録されるので、サーバにおいて各ユーザの趣向を把握することもできる。
【００１３】
また、本発明に係る情報端末は、インターネット上に存在するコンテンツ情報を取得するコンテンツ情報取得手段と、該コンテンツ情報取得手段により取得したコンテンツ情報の一部又は全部を保存するコンテンツ情報保存手段と、該コンテンツ情報保存手段に保存したコンテンツ情報からキーワードを分析するコンテンツ情報分析手段と、該コンテンツ情報分析手段により分析したキーワードを含むコンテンツ分析情報を保存するコンテンツ分析情報保存手段と、前記広告概要情報を前記広告配信サーバからネットワークを介して取得する広告概要情報取得手段と、該広告概要情報取得手段により取得した広告概要情報を保存する広告概要情報保存手段と、前記コンテンツ分析情報保存手段に保存したコンテンツ分析情報と前記広告概要情報保存手段により保存した広告概要情報とを照合し、コンテンツ分析情報のキーワードと広告概要情報のキーワードが一致する場合に当該広告概要情報を選択する広告選択手段と、該広告選択手段により選択した広告概要情報に対応する広告実体情報を前記広告配信サーバに要求し、当該広告実体情報を前記広告配信サーバからネットワークを介して取得する広告実体情報取得手段と、該広告実体情報取得手段により取得した広告実体情報を保存する広告実体情報保存手段と、該広告実体情報保存手段に保存した広告実体情報を所定形式でディスプレイ等に表示させる広告表示制御手段とを備えることを特徴とする
【００１４】
本発明に係る広告配信方法は、広告配信サーバと複数のユーザの情報端末とがインターネット上において通信可能な状態のネットワークに構成され、広告配信サーバから各情報端末に対してネットワークを介して広告が配信される広告配信方法であって、前記広告配信サーバは、広告の概要を示し、かつ広告のキーワードを含む広告概要情報を広告送信手段により各情報端末にネットワークを介して送信するステップと、情報端末から要求があった場合に広告の実体を示す広告実体情報を広告送信手段により当該情報端末にネットワークを介して送信するステップとを有し、前記情報端末は、インターネット上に存在するコンテンツ情報をコンテンツ情報取得手段により取得するステップと、該コンテンツ情報取得手段により取得したコンテンツ情報の一部又は全部をコンテンツ情報保存手段に保存するステップと、該コンテンツ情報保存手段に保存したコンテンツ情報からキーワードをコンテンツ情報分析手段により分析するステップと、該コンテンツ情報分析手段により分析したキーワードを含むコンテンツ分析情報をコンテンツ分析情報保存手段に保存するステップと、前記広告概要情報を前記広告配信サーバからネットワークを介して広告概要情報取得手段により取得するステップと、該広告概要情報取得手段により取得した広告概要情報を広告概要情報保存手段に保存するステップと、前記コンテンツ分析情報保存手段に保存したコンテンツ分析情報と前記広告概要情報保存手段により保存した広告概要情報とを照合し、コンテンツ分析情報のキーワードと広告概要情報のキーワードが一致する場合に当該広告概要情報を広告選択手段により選択するステップと、該広告選択手段により選択した広告概要情報に対応する広告実体情報を広告配信サーバに要求し、当該広告実体情報を前記広告配信サーバからインターネットを介して広告実体情報取得手段により取得するステップと、該広告実体情報取得手段により取得した広告実体情報を広告実体情報保存手段に保存するステップと、該広告実体情報保存手段に保存した広告実体情報を広告表示制御手段により所定形式でディスプレイ等に表示させるステップとを備えることを特徴とする。
【００１５】
本発明に係るコンピュータプログラムは、コンピュータを、インターネット上に存在するコンテンツ情報を取得するコンテンツ情報取得手段、該コンテンツ情報取得手段により取得したコンテンツ情報の一部又は全部を保存するコンテンツ情報保存手段、該コンテンツ情報保存手段に保存したコンテンツ情報からキーワードを分析するコンテンツ情報分析手段、該コンテンツ情報分析手段により分析したキーワードを含むコンテンツ分析情報を保存するコンテンツ分析情報保存手段、前記広告概要情報を広告配信サーバからネットワークを介して取得する広告概要情報取得手段、該広告概要情報取得手段により取得した広告概要情報を保存する広告概要情報保存手段、前記コンテンツ分析情報保存手段に保存したコンテンツ分析情報と前記広告概要情報保存手段により保存した広告概要情報とを照合し、コンテンツ分析情報のキーワードと広告概要情報のキーワードが一致する場合に当該広告概要情報を選択する広告選択手段、該広告選択手段により選択した広告概要情報に対応する広告実体情報を広告配信サーバに要求し、当該広告実体情報を広告配信サーバからネットワークを介して取得する広告実体情報取得手段、該広告実体情報取得手段により取得した広告実体情報を保存する広告実体情報保存手段、該広告実体情報保存手段に保存した広告実体情報を所定形式でディスプレイ等に表示させる広告表示制御手段として機能させることを特徴とする。また、本発明に係る記録媒体は、上記コンピュータプログラムが記録されている。
【発明の効果】
【００１６】
本発明によれば、ユーザの情報端末は広告配信サーバから広告の概要を示す広告概要情報を取得し、過去に取得したコンテンツ情報を分析したコンテンツ分析情報のキーワードと広告概要情報のキーワードが一致する場合に、当該広告に対応する広告実体情報を広告配信サーバから取得して表示するので、ユーザの趣向に合った効果的な広告を行うことができる。
【００１７】
また、ユーザの動向の分析や広告の選択はユーザの情報端末内で行われ、ユーザに係るコンテンツやキーワード等の個人情報がサーバに送信されないため、ユーザのプライバシーを保護することができる。
【００１８】
また、サーバでは広告の配信を行うのみで負荷が軽減されるので、大規模なコンピュータ資源を必要とすることがなく、システム構築にかかるコストを低減することが可能となる。
【００１９】
また、サーバからユーザの情報端末に配信する広告情報を広告概要情報と広告実体情報の二段階に分けることにより、必要な広告以外は容量の大きい実体の情報をユーザの情報端末に配信する必要がなくなり、インターネット上におけるトラフィックを軽減することができる。
【００２０】
また、サーバからユーザの情報端末に配信した広告概要情報のうち、ユーザの趣向に合った広告実体情報を記録すことにより、サーバにおいて各ユーザの趣向を把握することもできる。
【発明を実施するための最良の形態】
【００２１】
次に本発明の一実施形態に係る広告配信システムについて説明する。
【００２２】
図１は、本システムの全体構成を示す構成概略図である。
【００２３】
本システムは、図１に示すように、広告配信サーバ（１）と複数のユーザの情報端末（２）とがインターネット上において通信可能な状態のネットワークに構成され、広告配信サーバ（１）から各情報端末（２）に対してネットワークを介して広告が配信されるものとなされている。なお、図１に示す矢印は広告の配信状態を概念的に示すものである。
【００２４】
図２は、本システムにおける広告配信サーバ（１）とユーザの情報端末（２）の機能を示すブロック図である。
【００２５】
前記広告配信サーバ（１）は、各情報端末（２）に対してネットワークを介して広告を配信するもので、広告の概要を示し、かつ広告のキーワードを含む広告概要情報と、広告の実体を示す広告実体情報とをネットワークを介して前記情報端末（２）に送信する広告送信部（１０１）を備える。なお、広告概要情報と広告実体情報は、広告配信サーバ（１）内においてハードディスク等の保存部に保存され、この保存部は別々のものであってもいし、同一のものであってもよい。
【００２６】
前記情報端末（２）は、インターネット上に存在するコンテンツ情報を取得するコンテンツ情報取得部（２０１）と、コンテンツ情報の一部又は全部を保存するコンテンツ情報保存部（２０２）と、コンテンツ情報を分析するコンテンツ情報分析部（２０３）と、分析したキーワードを含むコンテンツ分析情報を保存するコンテンツ分析情報保存部（２０４）とを備え、インターネット上にあるコンテンツ情報を取得、分析、および保存するものとなされている。
【００２７】
また、前記情報端末（２）は、広告概要情報を前記広告配信サーバ（１）からネットワークを介して取得する広告概要情報取得部（２０５）と、広告概要情報を保存する広告概要情報保存部（２０６）と、コンテンツ分析情報と広告概要情報とを照合して所定の広告概要情報を選択する広告選択部（２０７）と、該広告概要情報に対応する広告実体情報を広告配信サーバ（１）からネットワークを介して取得する広告実体情報取得部（２０８）と、該広告実体情報を保存する広告実体情報保存部（２０９）と、前記コンテンツ情報や広告実体情報を所定形式でディスプレイ等に表示させる広告表示制御部（２１０）とを備え、ユーザの趣向に合った広告を表示するものとなされている。
【００２８】
なお、上記各部は、中央演算処理装置（ＣＰＵ）においてＲＯＭ（Read Only Memory）やハードディスクに記憶されたサーバプログラムにより機能する。また、このサーバプログラムは、記憶媒体に記憶されたものをサーバで読み取ったり、あるいはネットワークを介して送信されてきたものをサーバで読み取るものとしてもよい。記憶媒体は、例えば光磁気ディスク、デジタルビデオディスク、コンパクトディスク、フロッピー（登録商標）ディスクなどがある。
【００２９】
前記コンテンツ情報取得部（２０１）は、インターネット上のＷｅｂサイトにアクセスしたときに、当該サイトのコンテンツ情報を取得するものである。このコンテンツ情報とは、メディアが記録・伝送し、人間が観賞するひとまとまりの情報、すなわち、映像や画像、音楽、文章、あるいはそれらの組み合わせに関する情報である。このコンテンツ情報取得部（２０１）は、一般にはコンテンツ情報を構成するＨＴＭＬファイル、画像ファイル、音楽ファイルＷｅｂをダウンロードし、レイアウトを解析して表示・再生するＷｅｂブラウザとしての機能も有する。なお、コンテンツ情報取得部（２０１）により取得されたコンテンツ情報は、広告表示制御部（２１０）により所定の形式でディスプレイ等に表示され、ユーザの閲覧に供する。
【００３０】
前記コンテンツ情報保存部（２０２）は、コンテンツ情報取得部（２０１）により取得したコンテンツ情報の全部または一部を保存するものである。例えば、情報端末（２）がＷｅｂサイトにアクセスしたときのＵＲＬ（Uniform Resource Locator）や一時保存ファイルなどがコンテンツ情報として保存される。
【００３１】
前記コンテンツ情報分析部（２０３）では、コンテンツ情報保存部（２０２）に保存したコンテンツ情報について分析処理を行う。例えば、図３に示すように、キーワード分析、数量計測、情報量分析、重み付け、相関分析、有効コンテンツピックアップなどの分析機能を有する。
【００３２】
キーワード分析では、保存しているコンテンツ情報の中にどのようなキーワードが存在するかを分析して抽出する。例えば、コンテンツ情報の中に存在する「洋菓子」「ショートケーキ」等の商品に関するキーワードや、「マイクロソフト」「ヤフー」等といった固有名詞のキーワードなどを分析して抽出する。
【００３３】
数量計測では、収集したコンテンツ情報（有効コンテンツ）を閲覧した回数や、収集したキーワードについて当該キーワードが総計で何回該当したのかを計測する。
【００３４】
情報量分析では、収集したコンテンツ情報（有効コンテンツ）がそれぞれどれだけの情報量があるのかを計測する。例えば、コンテンツの「Ａ氏の日記」は４０キロバイト、「Ｂ氏の日記」は２０キロバイト、「マイクロソフト」のキーワードが使用されているコンテンツは合計で１３０キロバイト等といった情報を計測する。
【００３５】
重み付けでは、「優先する（しない）コンテンツ」や「優先する（しない）キーワード」を指定し、その指定に基づいてコンテンツ情報の数量や情報量の数値を加減算する。
【００３６】
相関分析では、上記の分析や計測結果から相関性を導き出す。例えば、「コンテンツの情報量の大きさと、閲覧回数（数量）は比例するか」や、「あるキーワードが存在するコンテンツは情報量が平均的に見て大きいのか」等、コンテンツを中心として２つ以上の変数を組み合わせてコンテンツ情報を分析する。
【００３７】
有効コンテンツピックアップでは、コンテンツ情報（Ｗｅｂページ）のキャッシュを検索して、どのようなサイトを巡ったのかを抽出する。例えば、「Ａ氏の日記」等といった個人のブログも１つのコンテンツとしてピックアップする。
【００３８】
前記コンテンツ分析情報保存部（２０４）は、コンテンツ情報分析部（２０３）により分析したキーワードを含むコンテンツ分析情報を保存するものである。特にキーワードについては、後述の広告選択部（２０７）による照合に用いられる。また、コンテンツ分析情報は、ネットワークを介して所定のサーバに送信されることにより、ネットワーク内の各情報端末（２）の動向の把握にも用いることができる。
【００３９】
前記広告概要情報取得部（２０５）は、広告実体情報取得手段広告の概要を示す広告概要情報を広告配信サーバ（１）からネットワークを介して取得するものである。この広告概要情報は、例えば図４に示すように、分類、キーワード、広告名、配信者情報、付記情報、および広告実体ＩＤからなる構造例が挙げられ、一般にはＸＭＬ等のマークアップ言語によるメタデータで配信される。なお、広告概要情報の構造は、これに限定されるものではなく、その他の構造であってもよい。
【００４０】
また、この広告概要情報取得部（２０５）は、広告配信サーバ（１）から自動的に送信されてくる広告概要情報を取得するものとしてもよいし、あるいは情報端末（２）側から定期的に広告概要情報を取得するものとしてもよい。
【００４１】
また、この広告概要情報取得部（２０５）は、所定の配信サーバの秘密鍵に対応する公開鍵により広告概要情報を復号化するものとしてもよい。すなわち、広告配信サーバ（１）は情報端末（２）が指定した公開鍵に対応した秘密鍵を有し、当該秘密鍵により暗号化した広告概要情報を情報端末（２）に配信するものとし、情報端末（２）装置では配信されてきた広告概要情報を自端末の公開鍵により復号化する。このように信頼している広告配信サーバ（１）の公開鍵を用いて広告概要情報の電子署名を検証することにより、取得した広告概要情報が信頼している広告配信サーバ（１）のものであるとして認証することができる。
【００４２】
前記広告選択部（２０７）は、コンテンツ分析情報保存部（２０４）に保存したコンテンツ分析情報と、広告概要情報保存部（２０６）により保存した広告概要情報とを照合し、コンテンツ分析情報のキーワードと広告概要情報のキーワードが一致する場合に当該広告概要情報を選択するものである。例えば、コンテンツ分析情報に「スーツ」のキーワードが存在するとともに、広告概要情報に同じく「スーツ」のキーワードが存在する場合、コンテンツ分析情報と広告概要情報の照合に際して両キーワードが一致するため、当該「スーツ」に関する広告概要情報を選択する。
【００４３】
前記広告実体情報取得部（２０８）は、広告選択部（２０７）により選択した広告概要情報に対応する広告実体情報を広告配信サーバ（１）に要求し、当該広告実体情報を広告配信サーバ（１）からネットワークを介して取得するものである。例えば、広告選択部（２０７）において「スーツ」に関する広告概要情報を選択した場合、当該広告概要情報に対応する「スーツ」に関する広告実体情報を広告配信サーバ（１）に要求し、その「スーツ」に関する広告実体情報を広告配信サーバ（１）からネットワークを介して取得する。
【００４４】
前記広告表示制御部（２１０）は、コンテンツ情報取得部（２０１）により取得したコンテンツ情報や、広告実体情報取得部（２０８）により取得した広告実体情報を所定形式でディスプレイ等に表示させるものである。例えば、インターネット上から配信されるコンテンツ情報中に広告を表示する部分を含め、当該部分に広告実体情報を表示することが挙げられる。
【実施例１】
【００４５】
次に本システムの動作の実施例１について図５〜図８を用いて説明する。
【００４６】
図５に示すように、インターネット上において「服、男性服、スーツ」に関するコンテンツ情報Ａと、「洋菓子、ショートケーキ、神戸」に関するコンテンツ情報Ｂと、「秋、お菓子」に関するコンテンツ情報Ｃとが存在するものとする。なお、これらコンテンツ情報Ａ、Ｂ、Ｃは、説明の便宜上、コンテンツ情報としてそのまま表しているが、実際にはインターネット上のサーバから配信されるものである。
【００４７】
また、インターネット上において本システムに係る広告配信サーバ（１）が設けられるとともに、ユーザａ〜ｅの情報端末（２）が設けられており、これら広告配信サーバ（１）と各ユーザａ〜ｅの情報端末（２）とがインターネット上において通信可能な状態のネットワークに構成されている。なお、説明の便宜上、コンテンツ情報Ａ、Ｂ、Ｃおよび広告配信サーバ（１）とユーザａ〜ｅの情報端末（２）とのネットワーク接続状態を図示していないが、実際にはインターネット上において通信可能な状態で接続されている。
【００４８】
図６に示すように、ユーザａ、ｄ、ｅの情報端末（２）はコンテンツ情報Ａを取得し、ユーザａ、ｃの情報端末（２）はコンテンツ情報Ｂを取得し、ユーザｂ、ｅの情報端末（２）はコンテンツ情報Ｃを取得したとする。
【００４９】
具体的には、ユーザａ、ｄ、ｅの情報端末（２）は、「服、男性服、スーツ」に関するコンテンツ情報Ａをコンテンツ情報取得部（２０１）により取得し、そのコンテンツ情報Ａをコンテンツ情報保存部（２０２）に保存したあと、コンテンツ情報分析部（２０３）によりコンテンツ情報Ａのキーワード分析を行い、「服、男性服、スーツ」のキーワードを含むコンテンツ分析情報をコンテンツ分析情報保存部（２０４）に保存する。また、ユーザａ、ｃの情報端末（２）は、「洋菓子、ショートケーキ、神戸」に関するコンテンツ情報Ｂをコンテンツ情報取得部（２０１）により取得し、そのコンテンツ情報Ｂをコンテンツ情報保存部（２０２）に保存したあと、コンテンツ情報分析部（２０３）によりコンテンツ情報Ｂのキーワード分析を行い、「洋菓子、ショートケーキ、神戸」のキーワードを含むコンテンツ分析情報をコンテンツ分析情報保存部（２０４）に保存する。また、ユーザｂ、ｅの情報端末（２）は、「秋、お菓子」に関するコンテンツ情報Ｃをコンテンツ情報取得部（２０１）により取得し、そのコンテンツ情報Ｃをコンテンツ情報保存部（２０２）に保存したあと、コンテンツ情報分析部（２０３）によりコンテンツ情報Ｃのキーワード分析を行い、「秋、お菓子」のキーワードを含むコンテンツ分析情報をコンテンツ分析情報保存部（２０４）に保存する。
【００５０】
そして、図７に示すように、広告配信サーバ（１）から各ユーザａ〜ｅの情報端末（２）に対して「洋菓子、ショートケーキ」に関する広告概要情報が配信されたとする。
【００５１】
具体的には、各ユーザａ〜ｅの情報端末（２）は、「洋菓子、ショートケーキ」に関する広告概要情報を広告配信サーバ（１）からネットワークを介して広告概要情報取得部（２０５）により取得し、該広告概要情報を広告概要情報保存部（２０６）に保存する。そして、コンテンツ分析情報保存部（２０４）に保存したコンテンツ分析情報と広告概要情報保存部（２０６）により保存した広告概要情報とを照合し、コンテンツ分析情報のキーワードと広告概要情報のキーワードが一致する場合に当該広告概要情報を選択する。
【００５２】
例えば、ユーザａ、ｃの情報端末（２）は、上述のように「洋菓子、ショートケーキ、神戸」に関するコンテンツ情報Ｂを取得し、コンテンツ分析情報保存部（２０４）に「洋菓子、ショートケーキ、神戸」のキーワードを含むコンテンツ分析情報を保存している。一方、上述のように「洋菓子、ショートケーキ」に関する広告概要情報を広告概要情報保存部（２０６）に保存している。このため、コンテンツ分析情報保存部（２０４）に保存したコンテンツ分析情報と広告概要情報保存部（２０６）により保存した広告概要情報とを照合すると、コンテンツ分析情報の「洋菓子、ショートケーキ」のキーワードと広告概要情報の「洋菓子、ショートケーキ」のキーワードが一致するため、当該「洋菓子、ショートケーキ」に関する広告概要情報を広告選択部（２０７）により選択する。
【００５３】
なお、その他のユーザのｂ、ｄ、ｅの情報端末（２）は、コンテンツ分析情報保存部（２０４）に保存したコンテンツ分析情報に「洋菓子、ショートケーキ」のキーワードが存在しないので、広告選択部（２０７）において当該広告概要情報を選択せず、広告配信サーバ（１）から当該広告概要情報に対応する広告実体情報も取得しない。
【００５４】
そして、図８に示すように、広告配信サーバ（１）からユーザａ、ｃの情報端末（２）に対して「洋菓子、ショートケーキ」に関する広告実体情報が配信される。
【００５５】
具体的には、ユーザａ、ｃの情報端末（２）は、広告選択部（２０７）により選択した広告概要情報に対応する「洋菓子、ショートケーキ」に関する広告実体情報を広告配信サーバ（１）に要求し、「洋菓子、ショートケーキ」に関する広告実体情報を広告配信サーバ（１）からネットワークを介して広告実体情報取得部（２０８）により取得し、その「洋菓子、ショートケーキ」に関する広告実体情報を広告実体情報保存部（２０９）に保存する。そして、広告実体情報保存部（２０９）に保存した「洋菓子、ショートケーキ」に関する広告実体情報を広告表示制御部（２１０）により所定形式でディスプレイ等に表示させ、「洋菓子、ショートケーキ」の関する広告をユーザａ、ｃの閲覧に供する。
【００５６】
なお、コンテンツ情報のキーワードと一致する広告概要情報が複数存在する場合は、よりキーワードの一致率の高いもの、参照率の高いものなどを優先させることにより、よりユーザの趣向に合った広告を配信するものとしてもよい。
【実施例２】
【００５７】
次に、本システムの動作の実施例２について図９および図１０を用いて説明する。
【００５８】
図９に示すように、広告配信サーバ（１）から各ユーザａ〜ｅの情報端末（２）に対して「スーツ」に関する広告概要情報が配信されたとする。
【００５９】
具体的には、各ユーザａ〜ｅの情報端末（２）は、「スーツ」に関する広告概要情報を広告配信サーバ（１）からネットワークを介して広告概要情報取得部（２０５）により取得し、該広告概要情報を広告概要情報保存部（２０６）に保存する。そして、コンテンツ分析情報保存部（２０４）に保存したコンテンツ分析情報と広告概要情報保存部（２０６）により保存した広告概要情報とを照合し、コンテンツ分析情報のキーワードと広告概要情報のキーワードが一致する場合に当該広告概要情報を選択する。
【００６０】
例えば、ユーザａ、ｄ、ｅの情報端末（２）は、上述のように「スーツ、神戸」に関するコンテンツ情報Ｂを取得し、コンテンツ分析情報保存部（２０４）に「スーツ、神戸」のキーワードを含むコンテンツ分析情報を保存している。一方、上述のように「スーツ」に関する広告概要情報を広告概要情報保存部（２０６）に保存している。このため、コンテンツ分析情報保存部（２０４）に保存したコンテンツ分析情報と広告概要情報保存部（２０６）により保存した広告概要情報とを照合すると、コンテンツ分析情報の「スーツ」のキーワードと広告概要情報の「スーツ」のキーワードが一致するため、当該「スーツ」に関する広告概要情報を広告選択部（２０７）により選択する。
【００６１】
なお、その他のユーザのｂ、ｃの情報端末（２）は、コンテンツ分析情報保存部（２０４）に保存したコンテンツ分析情報に「スーツ」のキーワードが存在しないので、広告選択部（２０７）において当該広告概要情報を選択せず、広告配信サーバ（１）から当該広告概要情報に対応する広告実体情報も取得しない。
【００６２】
そして、図１０に示すように、広告配信サーバ（１）からユーザａ、ｄ、ｅの情報端末（２）に対して「スーツ」に関する広告実体情報が配信される。
【００６３】
具体的には、ユーザａ、ｄ、ｅの情報端末（２）は、広告選択部（２０７）により選択した広告概要情報に対応する「スーツ」に関する広告実体情報を広告配信サーバ（１）に要求し、「スーツ」に関する広告実体情報を広告配信サーバ（１）からネットワークを介して広告実体情報取得部（２０８）により取得し、その「スーツ」に関する広告実体情報を広告実体情報保存部（２０９）に保存する。そして、広告実体情報保存部（２０９）に保存した「スーツ」に関する広告実体情報を広告表示制御部（２１０）により所定形式でディスプレイ等に表示させ、「スーツ」の関する広告をユーザａ、ｃの閲覧に供する。
【実施例３】
【００６４】
次に、本システムの動作の実施例３について図１１を用いて説明する。
【００６５】
図１１に示すように、広告配信サーバ（１）から各ユーザａ〜ｅの情報端末（２）に対して「時計、腕時計、クオーツ」に関する広告概要情報が配信されたとする。
【００６６】
具体的には、各ユーザａ〜ｅの情報端末（２）は、「時計、腕時計、クオーツ」に関する広告概要情報を広告配信サーバ（１）からネットワークを介して広告概要情報取得部（２０５）により取得し、該広告概要情報を広告概要情報保存部（２０６）に保存する。そして、コンテンツ分析情報保存部（２０４）に保存したコンテンツ分析情報と広告概要情報保存部（２０６）により保存した広告概要情報とを照合し、コンテンツ分析情報のキーワードと広告概要情報のキーワードが一致する場合に当該広告概要情報を選択する。
【００６７】
しかしながら、本実施例では、各ユーザａ〜ｅの情報端末（２）は、コンテンツ分析情報保存部（２０４）に保存したコンテンツ分析情報に「時計、腕時計、クオーツ」のキーワードが存在しないので、広告選択部（２０７）において「時計、腕時計、クオーツ」に関する広告概要情報を選択しない。このため、広告配信サーバ（１）から「時計、腕時計、クオーツ」に関する広告実体情報も取得されず、ディスプレイ等に表示されない。
【産業上の利用可能性】
【００６８】
本発明は、インターネット上においてユーザの情報端末に広告を配信するシステムに適用可能である。
【図面の簡単な説明】
【００６９】
【図１】本システムの全体構成を示す構成概略図である。
【図２】本システムにおける広告配信サーバとユーザの情報端末の機能を示すブロック図である。
【図３】コンテンツ情報分析部の機能を示すブロック図である。
【図４】広告概要情報の構造の一例を示す図である。
【図５】広告配信サーバ、コンテンツ情報、および情報端末の構成を示す構成概略図である。
【図６】各ユーザの情報端末に所定のコンテンツ情報が配信された状態を示す図である。
【図７】各ユーザの情報端末に広告概要情報（洋菓子等）が配信された状態を示す図である。
【図８】ユーザａ、ｃの情報端末に広告実体情報（洋菓子等）が配信された状態を示す図である。
【図９】各ユーザの情報端末に広告概要情報（スーツ）が配信された状態を示す図である。
【図１０】ユーザａ、ｄ、ｅに情報端末に広告実体情報（スーツ）が配信された状態を示す図である。
【図１１】各ユーザの情報端末に広告概要情報（時計等）が配信された状態を示す図である。
【符号の説明】
【００７０】
１・・・広告配信サーバ
１０１・・・広告送信部
２・・・情報端末
２０１・・・コンテンツ情報取得部
２０２・・・コンテンツ情報保存部
２０３・・・コンテンツ情報分析部
２０４・・・コンテンツ分析情報保存部
２０５・・・広告概要情報取得部
２０６・・・広告概要情報保存部
２０７・・・広告選択部
２０８・・・広告実体情報取得部
２０９・・・広告実体情報保存部
２１０・・・広告表示制御部
【図１】
2007241921.tif 000003
【図２】
2007241921.tif 000004
【図３】
2007241921.tif 000005
【図４】
2007241921.tif 000006
【図５】
2007241921.tif 000007
【図６】
2007241921.tif 000008
【図７】
2007241921.tif 000009
【図８】
2007241921.tif 000010
【図９】
2007241921.tif 000011
【図１０】
2007241921.tif 000012
【図１１】
2007241921.tif 000013